(57)【要約】【課題】テレビ放送受信装置において、防犯／防災対策機能を簡易な方法によって実現する。【解決手段】テレビ放送受信装置１は、放送局から配信される放送信号を受信して、テレビ放送による映像をディスプレイ１１に表示する。このテレビ放送受信装置１は、ドア３の施解錠状態を検出する第１の検出装置２ａ及び火元４の使用状態を検出する第２の検出装置２ｂから、ドア３の施解錠状態及び火元４の使用状態を示す状態検出信号を無線で受信する。テレビ放送受信装置１は、リモコン１３により電源オン操作がなされたときにドア３が施錠されていない場合、及びリモコン１３により電源オフ操作がなされたときに火元４が使用中である場合に、ディスプレイ１１による表示動作を通常とは異ならせることにより、通知動作を行う。【選択図】図１
2007324680.tif 000002
【特許請求の範囲】
【請求項１】
放送局から配信される放送信号を受信するチューナと、前記チューナにより受信した放送信号を処理して、テレビ放送による映像をディスプレイで表示するための信号を生成するＡＶ信号処理部と、本装置の動作を指示するためにユーザにより操作される操作手段とを備え、前記ＡＶ信号処理部により生成された信号を前記ディスプレイに出力することによりテレビ放送による映像を前記ディスプレイに表示するテレビ放送受信装置において、
ドアの施解錠状態を検出する第１の検出装置及び火元の使用状態を検出する第２の検出装置から無線で送信される、ドアの施解錠状態及び火元の使用状態を示す状態検出信号を受信する信号受信手段と、
前記信号受信手段により受信した状態検出信号を基にドアの施解錠状態及び火元の使用状態を判断する状態判断手段と、
前記ディスプレイによる表示動作を制御することにより、前記ディスプレイによる表示動作を利用してドアの施錠状態及び火元の使用状態に応じた通知動作を行う通知手段とをさらに備え、
前記操作手段は、本装置の電源をオン／オフするための電源ボタンを有し、
前記通知手段は、
本装置の電源オフ状態において前記電源ボタンが所定時間よりも短く押下されたとき、前記状態判断手段によりドアが施錠状態であると判断される場合には、本装置の電源をオンして、テレビ放送の映像を前記ディスプレイに表示し、前記状態判断手段によりドアが施錠状態でないと判断される場合には、本装置の電源をオンして、テレビ放送の映像を前記ディスプレイに表示せずに、施錠の確認を促す旨のメッセージを前記ディスプレイに表示した後、本装置の電源をオフし、
本装置の電源オフ状態において前記電源オンボタンが所定時間以上長く持続的に押下されたとき、テレビ放送の映像を前記ディスプレイに表示し、
本装置の電源オン状態において前記電源ボタンが所定時間よりも短く押下されたとき、前記状態判断手段により火元が使用中でないと判断される場合には、本装置の電源をオフし、前記状態判断手段により火元が使用中であると判断される場合には、本装置の電源をオフせずに、火元の確認を促す旨のメッセージを前記ディスプレイに表示し、
本装置の電源オン状態において前記電源オンボタンが所定時間以上長く持続的に押下されたとき、本装置の電源をオフする、
ことを特徴とするテレビ放送受信装置。
【請求項２】
放送局から配信される放送信号を受信するチューナと、前記チューナにより受信した放送信号を処理して、テレビ放送による映像をディスプレイで表示するための信号を生成するＡＶ信号処理部と、本装置の動作を指示するためにユーザにより操作される操作手段とを備え、前記ＡＶ信号処理部により生成された信号を前記ディスプレイに出力することによりテレビ放送による映像を前記ディスプレイに表示するテレビ放送受信装置において、
ドアの施解錠状態を検出する検出装置から送信される、ドアの施解錠状態を示す状態検出信号を受信する信号受信手段と、
前記信号受信手段により受信した状態検出信号を基にドアの施解錠状態を判断する状態判断手段と、
前記ディスプレイによる表示動作を制御することにより、前記ディスプレイによる表示動作を利用してドアの施錠状態に応じた通知動作を行う通知手段とをさらに備え、
前記通知手段は、前記操作手段により本装置の電源オン操作がなされたとき、前記状態判断手段によりドアが施錠状態でないと判断される場合に、前記ディスプレイによる表示動作を利用して通知動作を行う、
ことを特徴とするテレビ放送受信装置。
【請求項３】
放送局から配信される放送信号を受信するチューナと、前記チューナにより受信した放送信号を処理して、テレビ放送による映像をディスプレイで表示するための信号を生成するＡＶ信号処理部と、本装置の動作を指示するためにユーザにより操作される操作手段とを備え、前記ＡＶ信号処理部により生成された信号を前記ディスプレイに出力することによりテレビ放送による映像を前記ディスプレイに表示するテレビ放送受信装置において、
火元の使用状態を検出する検出装置から送信される、火元の使用状態を示す状態検出信号を受信する信号受信手段と、
前記信号受信手段により受信した状態検出信号を基に火元の使用状態を判断する状態判断手段と、
前記ディスプレイによる表示動作を制御することにより、前記ディスプレイによる表示動作を利用して火元の使用状態に応じた通知動作を行う通知手段とをさらに備え、
前記通知手段は、前記操作手段により本装置の電源オフ操作がなされたとき、前記状態判断手段により火元が使用中であると判断される場合に、前記ディスプレイによる表示動作を利用して通知動作を行う、
ことを特徴とするテレビ放送受信装置。
【発明の詳細な説明】
【技術分野】
【０００１】
本発明は、放送局から配信されるテレビ放送信号を受信して、テレビ放送による映像をディスプレイに表示するためのテレビ放送受信装置に関するものである。
【背景技術】
【０００２】
従来より、テレビ放送受信装置は、操作手段であるリモコンにより電源オン操作がなされると、電源をオンして、テレビ放送による映像をディスプレイに表示し、電源オフ操作がなされると、テレビ放送による映像の表示を終了して、電源をオフするようになっている。このようなテレビ放送受信装置は、ユーザが帰宅した後すぐに電源がオンにされることが多く、ユーザが外出するときに電源がオフにされることが多い。
【０００３】
一方、鍵の施錠操作又は解錠操作に応じて、例えばエアコン、照明、テレビなどの制御対象機器を制御できるようにした機器制御装置が知られている（例えば、特許文献１参照）。また、電気錠の施錠／解錠や各種電気機器の電源のオン／オフを携帯端末から遠隔操作で行えるようにしたセキュリティ管理装置が知られている（例えば、特許文献２参照）。また、家庭内の各所に人の位置を検出するセンサを設け、人が外出するときに後に残る者がいなければ、インターホンが警告を発し、また、人が外出するときにストーブや調理器具が使用中になったままであれば、ストーブや調理器具が警告を発するようにした家庭内ネットワークシステムが知られている（例えば、特許文献３参照）。また、複数の機器をテレビジョン受信機に接続し、テレビジョン受信機の表示装置に操作画面を表示させて操作画面上で機器を選択することにより、その選択した機器の動作状態の確認や設定を行えるようにして、複数の機器を１箇所で集中管理できるようにしたテレビジョン受信機が知られている（例えば、特許文献４参照）。
【特許文献１】特開２００５−３０７７３６号公報
【特許文献２】特開２００５−３１９８４号公報
【特許文献３】特開２００２−２７８６３９号公報
【特許文献４】特開平１１−６９４６２号公報
【発明の開示】
【発明が解決しようとする課題】
【０００４】
ところで、上述した従来のテレビ放送受信装置においては、テレビ放送による映像をディスプレイに表示する機能に加えて、他の機能を設けることにより、付加価値を高めることが望まれる。一方、家庭内における施錠の確認などの防犯対策や火元の監視などの防災対策は、簡易な方法で実現することが望まれる。そこで、テレビ放送受信装置に防犯／防災対策機能を持たせることが考えられるが、このようなテレビ放送受信装置は実現されていないのが実情である。なお、上述した特許文献１乃至特許文献４に開示の内容を適用したとしても、上記の課題を解決することはできない。
【０００５】
本発明は、上記課題を解決するためになされたものであり、防犯対策機能を簡易な方法によって実現することができるテレビ放送受信装置、及び防災対策機能を簡易な方法によって実現することができるテレビ放送受信装置を提供することを目的とする。
【課題を解決するための手段】
【０００６】
上記目的を達成するために請求項１の発明は、放送局から配信される放送信号を受信するチューナと、チューナにより受信した放送信号を処理して、テレビ放送による映像をディスプレイで表示するための信号を生成するＡＶ信号処理部と、本装置の動作を指示するためにユーザにより操作される操作手段とを備え、ＡＶ信号処理部により生成された信号をディスプレイに出力することによりテレビ放送による映像をディスプレイに表示するテレビ放送受信装置において、ドアの施解錠状態を検出する第１の検出装置及び火元の使用状態を検出する第２の検出装置から無線で送信される、ドアの施解錠状態及び火元の使用状態を示す状態検出信号を受信する信号受信手段と、信号受信手段により受信した状態検出信号を基にドアの施解錠状態及び火元の使用状態を判断する状態判断手段と、ディスプレイによる表示動作を制御することにより、ディスプレイによる表示動作を利用してドアの施錠状態及び火元の使用状態に応じた通知動作を行う通知手段とをさらに備え、操作手段は、本装置の電源をオン／オフするための電源ボタンを有し、通知手段は、本装置の電源オフ状態において電源ボタンが所定時間よりも短く押下されたとき、状態判断手段によりドアが施錠状態であると判断される場合には、本装置の電源をオンして、テレビ放送の映像をディスプレイに表示し、状態判断手段によりドアが施錠状態でないと判断される場合には、本装置の電源をオンして、テレビ放送の映像をディスプレイに表示せずに、施錠の確認を促す旨のメッセージをディスプレイに表示した後、本装置の電源をオフし、本装置の電源オフ状態において電源オンボタンが所定時間以上長く持続的に押下されたとき、テレビ放送の映像をディスプレイに表示し、本装置の電源オン状態において電源ボタンが所定時間よりも短く押下されたとき、状態判断手段により火元が使用中でないと判断される場合には、本装置の電源をオフし、状態判断手段により火元が使用中であると判断される場合には、本装置の電源をオフせずに、火元の確認を促す旨のメッセージをディスプレイに表示し、本装置の電源オン状態において電源オンボタンが所定時間以上長く持続的に押下されたとき、本装置の電源をオフするものである。
【０００７】
請求項２の発明は、放送局から配信される放送信号を受信するチューナと、チューナにより受信した放送信号を処理して、テレビ放送による映像をディスプレイで表示するための信号を生成するＡＶ信号処理部と、本装置の動作を指示するためにユーザにより操作される操作手段とを備え、ＡＶ信号処理部により生成された信号をディスプレイに出力することによりテレビ放送による映像をディスプレイに表示するテレビ放送受信装置において、ドアの施解錠状態を検出する検出装置から送信される、ドアの施解錠状態を示す状態検出信号を受信する信号受信手段と、信号受信手段により受信した状態検出信号を基にドアの施解錠状態を判断する状態判断手段と、ディスプレイによる表示動作を制御することにより、ディスプレイによる表示動作を利用してドアの施錠状態に応じた通知動作を行う通知手段とをさらに備え、通知手段は、操作手段により本装置の電源オン操作がなされたとき、状態判断手段によりドアが施錠状態でないと判断される場合に、ディスプレイによる表示動作を利用して通知動作を行うものである。
【０００８】
請求項３の発明は、放送局から配信される放送信号を受信するチューナと、チューナにより受信した放送信号を処理して、テレビ放送による映像をディスプレイで表示するための信号を生成するＡＶ信号処理部と、本装置の動作を指示するためにユーザにより操作される操作手段とを備え、ＡＶ信号処理部により生成された信号をディスプレイに出力することによりテレビ放送による映像をディスプレイに表示するテレビ放送受信装置において、火元の使用状態を検出する検出装置から送信される、火元の使用状態を示す状態検出信号を受信する信号受信手段と、信号受信手段により受信した状態検出信号を基に火元の使用状態を判断する状態判断手段と、ディスプレイによる表示動作を制御することにより、ディスプレイによる表示動作を利用して火元の使用状態に応じた通知動作を行う通知手段とをさらに備え、通知手段は、操作手段により本装置の電源オフ操作がなされたとき、状態判断手段により火元が使用中であると判断される場合に、ディスプレイによる表示動作を利用して通知動作を行うものである。
【発明の効果】
【０００９】
請求項１の発明によれば、ユーザは帰宅後すぐにテレビ放送受信装置の電源をオンにすることが多く、テレビ放送受信装置の電源オフ状態においてユーザが電源ボタンを所定時間よりも短く押下したとき（すなわちテレビ放送受信装置の電源オン操作をしたとき）にドアが施錠されていなければ、ディスプレイによる表示動作を利用して通知動作が行われるため、ユーザは、その通知動作によって、ドアが施錠されていないことを察知することができ、ユーザの防犯対策を補助することができる。また、ユーザは外出するときにテレビ放送受信装置の電源をオフにすることが多く、テレビ放送受信装置の電源オン状態においてユーザが電源ボタンを所定時間よりも短く押下したとき（すなわちテレビ放送受信装置の電源オフ操作をしたとき）に火元が使用中であれば、ディスプレイによる表示動作を利用して通知動作が行われるため、ユーザは、その通知動作によって、火元が使用中であることを察知することができ、ユーザの防災対策を補助することができる。しかも、通知動作はテレビ放送の映像を表示するためのディスプレイによって行われるため、通知動作を行うための装置を新たに設置する必要がなく、簡易な方法によって防犯／防災対策を実現することができる。さらに、ユーザはテレビ放送受信装置の電源オン／オフ操作をするときに電源オン／オフの確認のためにディスプレイを見ることが多く、ユーザが電源オン／オフ操作をしたときにディスプレイによって通知動作が行われることにより、ユーザは、ドアが施錠されていないこと及び火元が使用中であることをより確実に察知することができる。また、テレビ放送受信装置の電源オフ状態においてユーザが電源オンボタンを所定時間以上長く持続的に押下したときには、テレビ放送の映像がディスプレイに表示され、テレビ放送受信装置の電源オン状態においてユーザが電源オンボタンを所定時間以上長く持続的に押下したときには、テレビ放送受信装置の電源がオフされるため、何らかの不具合によりドアの施解錠状態及び火元の使用状態を示す状態検出信号を受信できない場合でも、テレビ放送受信装置を通常通りに使用することができる。
【００１０】
請求項２の発明によれば、ユーザは帰宅後すぐにテレビ放送受信装置の電源をオンにすることが多く、ユーザがテレビ放送受信装置の電源オン操作をしたときにドアが施錠されていなければ、ディスプレイによる表示動作を利用して通知動作が行われるため、ユーザは、その通知動作によって、ドアが施錠されていないことを察知することができ、ユーザの防犯対策を補助することができる。しかも、通知動作はテレビ放送の映像を表示するためのディスプレイによって行われるため、通知動作を行うための装置を新たに設置する必要がなく、簡易な方法によって防犯対策を実現することができる。さらに、ユーザはテレビ放送受信装置の電源オン操作をするときに電源オンの確認のためにディスプレイを見ることが多く、ユーザが電源オン操作をしたときにディスプレイによって通知動作が行われることにより、ユーザは、ドアが施錠されていないことをより確実に察知することができる。
【００１１】
請求項３の発明によれば、ユーザは外出するときにテレビ放送受信装置の電源をオフにすることが多く、ユーザがテレビ放送受信装置の電源オフ操作をしたときに火元が使用中であれば、ディスプレイによる表示動作を利用して通知動作が行われるため、ユーザは、その通知動作によって、火元が使用中であることを察知することができ、ユーザの防災対策を補助することができる。しかも、通知動作はテレビ放送の映像を表示するためのディスプレイによって行われるため、通知動作を行うための装置を新たに設置する必要がなく、簡易な方法によって防災対策を実現することができる。さらに、ユーザはテレビ放送受信装置の電源オフ操作をするときに電源オフの確認のためにディスプレイを見ることが多く、ユーザが電源オフ操作をしたときにディスプレイによって通知動作が行われることにより、ユーザは、火元が使用中であることをより確実に察知することができる。
【発明を実施するための最良の形態】
【００１２】
以下、本発明を具体化した実施形態によるテレビ放送受信装置について図面を参照して説明する。図１は、テレビ放送受信装置を用いた防犯／防災システムの概略構成を示す。防犯／防災システム１００は、テレビ放送受信装置１と、監視対象の状態を検出する状態検出装置２（２ａ、２ｂ）とを備え、状態検出装置２により検出した監視対象の状態を、テレビ放送受信装置１を利用してユーザに通知するようにしたシステムである。
【００１３】
テレビ放送受信装置１は、放送局から配信される放送信号を受信して、テレビ放送による映像及び音声をディスプレイ１１及びスピーカ１２で再生するための装置である。状態検出装置２は、監視対象の状態を検出して、その状態を示す状態検出信号を無線でテレビ放送受信装置１に送信するようになっており、テレビ放送受信装置１は、状態検出装置２から送信された状態検出信号を受信して、その状態検出信号を基に、監視対象の状態をディスプレイ１１による表示動作を利用してユーザに通知するようになっている。テレビ放送受信装置１は、操作手段であるリモコン１３によりテレビ放送受信装置１の電源をオン／オフする操作がなされたときに、この通知動作を行うようになっている。
【００１４】
本実施形態では、状態検出装置２として第１及び第２の２つの状態検出装置２ａ、２ｂを備えており、第１の状態検出装置２ａがドア３の鍵の施解錠状態を検出し、第２の状態検出装置２ｂがガスコンロ等の火元４の使用状態を検出するようになっている。すなわち、本実施形態では、テレビ放送受信装置１は、ドア３の施解錠状態及び火元４の使用状態をディスプレイ１１による表示動作を利用して通知するようになっている。
【００１５】
図２は、上記状態検出装置２の構成を示す。状態検出装置２は、リミットスイッチ２１と、リミットスイッチ２１の動作を検出して無線信号を送信するトランスミッタ２２とを備えている。トランスミッタ２２は、リミットスイッチ２１がオフからオンになったときに、第１の状態コードを無線で送信し、リミットスイッチ２１がオンからオフになったときに、第１の状態コードとは異なる第２の状態コードを無線で送信する。
【００１６】
第１の状態コードは、リミットスイッチ２１がオン状態であることを示す状態検出信号であり、第２の状態コードは、リミットスイッチ２１がオフ状態であることを示す状態検出信号である。状態検出装置２は、これら第１の状態コード及び第２の状態コードをＩＤコードと共に送信する。ＩＤコードは、状態検出装置２を識別するための検出装置識別信号であり、各状態検出装置２（第１の状態検出装置２ａと第２の状態検出装置２ｂ）は、異なったＩＤコードを送信する。
【００１７】
第１の状態検出装置２ａは、ドア３の鍵が施錠されているときにリミットスイッチ２１がオフし、ドア３の鍵が解錠されているときにリミットスイッチ２１がオンするように、ドア３に取付けられる。従って、第１の状態検出装置２ａは、ドア３が解錠されたとき（リミットスイッチ２１がオフからオンになったとき）に、ドア３が解錠状態であることを示す状態検出信号（第１の状態コード）をＩＤコードと共に無線で送信し、ドア３が施錠されたとき（リミットスイッチ２１がオンからオフになったとき）に、ドア３が施錠状態であることを示す状態検出信号（第２の状態コード）をＩＤコードと共に無線で送信する。
【００１８】
また、第２の状態検出装置２ｂは、火元４の点火スイッチが消火位置にあるときにオフし、点火スイッチが点火位置にあるときにオンするように、火元４に取付けられる。従って、第２の状態検出装置２ｂは、火元４が使用中になったとき（リミットスイッチ２１がオフからオンになったとき）に、火元４が使用中であることを示す状態検出信号（第１の状態コード）をＩＤコードと共に無線で送信し、火元４が使用中でなくなったとき（リミットスイッチ２１がオンからオフになったとき）に、火元４が使用中でないことを示す状態検出信号（第２の状態コード）をＩＤコードと共に無線で送信する。
【００１９】
図３は、上記テレビ放送受信装置１の電気的ブロック構成を示す。テレビ放送受信装置１は、上述のディスプレイ１１、スピーカ１２、リモコン１３に加え、テレビ放送受信装置１を制御するためのＣＰＵ等からなる制御部１４と、チューナ１５と、ＡＶ信号処理部１６と、状態検出信号受信部１７と、メモリ１８と、リモコン受信部１９とを備えている。
【００２０】
チューナ１５は、制御部１４による制御のもと、放送局から配信される放送信号をアンテナ１５ａを介して受信する。ＡＶ信号処理部１６は、制御部１４による制御のもと、チューナ１５で受信した放送信号を処理して、テレビ放送による映像をディスプレイ１１で表示するための信号、及びテレビ放送による音声をスピーカ１２で出力するための信号を生成する。また、ＡＶ信号処理部１６は、制御部１４による制御のもと、監視対象の状態をユーザに通知するためのメッセージ映像や、テレビ放送受信装置１の各種設定操作をユーザに案内するための設定案内映像等、各種映像をディスプレイ１１で表示するための信号を生成する。
【００２１】
ＡＶ信号処理部１６にて生成されたテレビ放送による映像を表示するための信号及びテレビ放送による音声を出力するための信号は、ディスプレイ１１及びスピーカ１２に出力され、これにより、テレビ放送の映像がディスプレイ１１に表示されると共に、テレビ放送の音声がスピーカ１２から出力される。また、ＡＶ信号処理部１６にて生成されたメッセージ映像や設定案内映像等の各種映像を表示するための信号は、ディスプレイ１１に出力され、これにより、メッセージ映像や設定案内映像等の各種映像がディスプレイ１１に表示される。
【００２２】
状態検出信号受信部１７は、各状態検出装置２から無線で送信される状態コード及びＩＤコードを受信し、その信号を電気信号に変換して制御部１４へ出力する。つまり、状態検出信号受信部１７は、第１の状態検出装置２ａからドア３の施解錠状態を示す信号を受信すると共に、第２の状態検出装置２ｂから火元４の使用状態を示す信号を受信し、それらの信号を制御部１４へ出力する。
【００２３】
メモリ１８は、制御部１４による制御のもと、各状態検出装置２により検出された監視対象の状態を示す状態データを記憶する。また、メモリ１８は、制御部１４による制御のもと、監視対象の状態を通知する場合の通知条件（各監視対象について、テレビ放送受信装置１の電源オン／オフ操作がなされたときに監視対象がどのような状態の場合に通知動作を行うかという条件）を示す通知条件データや、監視対象の状態を通知する場合にディスプレイ１１に表示する通知メッセージを示すメッセージデータ等の各種データを記憶する。
【００２４】
リモコン１３は、テレビ放送受信装置１の各種動作を指示するためにユーザにより操作されるものであり、テレビ放送受信装置１の電源をオン／オフするための電源ボタン、テレビ放送の番組を選局するための選局ボタン、テレビ放送受信装置１の各種設定を行うための設定ボタン等、各種操作ボタンを備えている。リモコン１３は、これら各種操作ボタンが操作されることにより、その操作に対応付けられた赤外線コード信号を送出する。リモコン受信部１９は、リモコン１３から送出された赤外線コード信号を受光し、その受光した信号を電気信号に変換して制御部１４へ出力する。
【００２５】
制御部１４は、リモコン受信部１９により受信した信号を基にリモコン１３の操作内容を判断し、リモコン１３の操作を受けて、テレビ放送受信装置１の電源のオン／オフ動作、チューナ１５による放送信号の受信動作、ＡＶ信号処理部１６による信号処理動作、ディスプレイ１１による映像の表示動作、スピーカ１２による音声出力動作等、テレビ放送受信装置１の各種動作を制御する。
【００２６】
また、制御部１４は、状態検出信号受信部１７により受信した信号（すなわち各状態検出装置２から送信されるＩＤコード及び状態コード）を基に、監視対象であるドア３の施錠状態及び火元４の使用状態を判断し、それらの状態を示す状態データをメモリ１８に記憶する。つまり、制御部１４は、状態検出信号受信部１７により信号を受信したとき、その信号に第１の状態検出装置２ａのＩＤコードと第１の状態コードが含まれていれば、ドア３が解錠されたと判断して、ドア３が施錠状態であることを示す状態データをメモリ１８に記憶する。同様に、制御部１４は、状態検出信号受信部１７により受信した信号に第１の状態検出装置２ａのＩＤコードと第２の状態コードが含まれていれば、ドア３が施錠されたと判断し、第２の状態検出装置２ｂのＩＤコードと第１の状態コードが含まれていれば、火元４が使用中になったと判断し、第２の状態検出装置２ｂのＩＤコードと第２の状態コードが含まれていれば、火元４が使用中でなくなったと判断し、そして、それらの状態を示す状態データをメモリ１８に記憶する。各状態検出装置２は、上述のように、監視対象の状態が変化したときにＩＤコード及び状態コードを送信する。制御部１４は、状態検出信号受信部１７により信号を受信する都度、その受信した信号による監視対象の状態を示す状態データをメモリ１８に記憶し、メモリ１８に記憶している状態データを更新する。
【００２７】
また、制御部１４は、リモコン１３によるテレビ放送受信装置１の電源オン／オフ操作を受けて、監視対象の状態を通知する通知動作を制御する。リモコン１３は、上述のように電源ボタンを備えている。電源ボタンは、押下操作されるようになっており、リモコン１３は、電源ボタンを所定時間（例えば１秒）よりも短く押下（通常押下）したときと、所定時間以上長く持続的に押下（長押し）したときとで、異なる信号を送信するようになっている。制御部１４は、電源オフ状態のときに電源ボタンが通常押下されると、電源オン操作がなされたと判断し、電源オン状態のときに電源ボタンが通常押下されると、電源オフ操作がなされたと判断する。そして、制御部１４は、リモコン１３によりテレビ放送受信装置１の電源オン／オフ操作がなされたときに、メモリ１８に記憶している状態データ、通知条件データ、メッセージデータ等を基に、テレビ放送受信装置１の電源のオン／オフ動作を制御すると共にディスプレイ１１による表示動作を制御することにより、ディスプレイ１１による映像の表示動作を利用して、監視対象の状態に応じた通知動作を行う。
【００２８】
また、制御部１４は、リモコン１３による設定操作を受けて、監視対象の状態を通知する場合の通知条件、及び監視対象の状態を通知する場合にディスプレイ１１に表示する通知メッセージ等を設定する。これら通知条件及び通知メッセージの設定は、ユーザがリモコン１３を操作して通知条件及び通知メッセージを入力することにより、それら入力された通知条件及び通知メッセージが通知条件データ及びメッセージデータとしてメモリ１８に記憶されることによって行われる。
【００２９】
図４は、上記テレビ放送受信装置１の電源オン操作時の動作のフローチャートを示し、図５は、上記テレビ放送受信装置１の電源オフ操作時の動作のフローチャートを示す。テレビ放送受信装置１の制御部１４は、上述のように、リモコン１３によりテレビ放送受信装置１の電源オン／オフ操作がなされたときに、予め設定されている（メモリ１８に記憶している）通知条件及び通知メッセージ等を基に、監視対象の状態に応じた通知動作を行う。
【００３０】
なお、本実施形態では、テレビ放送受信装置１の電源オン操作がなされたときに監視対象の状態を通知する通知条件として、第１の状態検出装置２ａの監視対象が第１の状態（すなわちドア３が解錠状態）の場合に通知するという条件が設定されており、このときにディスプレイ１１に表示する通知メッセージとして、ドア３の施錠の確認を促すメッセージ（例えば「ドアが施錠されていません」など）が設定されているものとする。また、テレビ放送受信装置１の電源オフ操作がなされたときに監視対象の状態を通知する通知条件として、第２の状態検出装置２ｂの監視対象が第１の状態（すなわち火元４が使用中）の場合に通知するという条件が設定されており、このときにディスプレイ１１に表示する通知メッセージとして、火元４の確認を促すメッセージ（例えば「火元が使用中です」など）が設定されているものとする。
【００３１】
図４を参照して、テレビ放送受信装置１の電源オン操作時の動作について説明する。まず、テレビ放送受信装置１の電源オフ状態においてリモコン１３の電源ボタンが通常押下（すなわち所定時間（例えば１秒）よりも短く押下）されると（＃１でＹＥＳ）、制御部１４は、テレビ放送受信装置１の電源オン操作がなされたと判断し、メモリ１８に記憶している監視対象の状態を示す状態データを基に、ドア３が施錠状態であるか否かを判断する（＃２）。
【００３２】
そして、ドア３が施錠状態であると判断した場合には（＃２でＹＥＳ）、制御部１４は、テレビ放送受信装置１の電源をオンにし（＃３）、放送信号の受信動作を行って、テレビ放送の映像をディスプレイ１１に表示し（＃４）、また、テレビ放送の音声をスピーカ１２から出力する。つまり、制御部１４は、ドア３が施錠されているときにテレビ放送受信装置１の電源オン操作がなされると、テレビ放送受信装置１を通常と同じ動作をするように制御して、ディスプレイ１１に通常通りテレビ放送の映像を表示する。
【００３３】
一方、ドア３が施錠状態でないと判断した場合には（＃２でＮＯ）、制御部１４は、テレビ放送受信装置１の電源をオンにし（＃５）、テレビ放送の映像をディスプレイ１１に表示せずに、施錠の確認を促すメッセージをディスプレイ１１に表示（例えば５秒程度）した後（＃６）、テレビ放送受信装置１の電源をオフにする（＃７）。つまり、制御部１４は、ドア３が施錠されていない（解錠されている）ときにテレビ放送受信装置１の電源オン操作がなされると、テレビ放送受信装置１を通常と異なる動作をするように制御して、ディスプレイ１１にテレビ放送の映像を表示せずに施錠の確認を促すメッセージを表示し、このようにディスプレイ１１の表示動作を通常とは異ならせることによって、ドア３が施錠されていないことをユーザに通知する。
【００３４】
また、リモコン１３の電源ボタンが通常押下されずに（＃１でＮＯ）、長押し（すなわち所定時間（例えば１秒）以上長く持続的に押下）されると（＃８でＹＥＳ）、制御部１４は、テレビ放送受信装置１の電源をオンにし（＃３）、放送信号の受信動作を行って、テレビ放送の映像をディスプレイ１１に表示する（＃４）。つまり、制御部１４は、テレビ放送受信装置１の電源オフ状態においてリモコン１３の電源ボタンが長押しされれば、ドア３の施解錠状態にかかわらず、テレビ放送受信装置１を通常と同じ動作をするように制御して、ディスプレイ１１に通常通りテレビ放送の映像を表示する。従って、何らかの不具合により第１の検出装置２ａからドア３が施錠されていることを示す信号を受信できない場合には、リモコン１３の電源ボタンを長押しすることにより、テレビ放送受信装置１を通常通り動作させて、ディスプレイ１１に通常通りテレビ放送の映像を表示させることができる。
【００３５】
図５を参照して、テレビ放送受信装置１の電源オフ操作時の動作について説明する。まず、テレビ放送受信装置１の電源オン状態においてリモコン１３の電源ボタンが通常押下（すなわち所定時間（例えば１秒）よりも短く押下）されると（＃１１でＹＥＳ）、制御部１４は、テレビ放送受信装置１の電源オフ操作がなされたと判断し、メモリ１８に記憶している監視対象の状態を示す状態データを基に、火元４が使用中であるか否かを判断する（＃１２）。
【００３６】
そして、火元４が使用中でないと判断した場合には（＃１２でＮＯ）、制御部１４は、テレビ放送受信装置１の電源をオフにし（＃１３）、これにより、ディスプレイ１１によるテレビ放送の映像の表示を終了する。つまり、制御部１４は、火元４が使用中でないときにテレビ放送受信装置１の電源オフ操作がなされると、テレビ放送受信装置１を通常と同じ動作をするように制御して、ディスプレイ１１によるテレビ放送の映像の表示を通常通りに終了する。
【００３７】
一方、火元４が使用中であると判断した場合には（＃１２でＹＥＳ）、制御部１４は、テレビ放送受信装置１の電源をオフせずに、火元４の確認を促すメッセージをディスプレイ１１に表示（例えば５秒程度）し（＃１４）、その後、再びテレビ放送の映像をディスプレイ１１に表示し、また、スピーカ１２によるテレビ放送の音声の出力を継続する。つまり、制御部１４は、火元４が使用中のときにテレビ放送受信装置１の電源オフ操作がなされると、テレビ放送受信装置１を通常と異なる動作をするように制御して、ディスプレイ１１に火元４の確認を促すメッセージを表示した後に再びテレビ放送の映像を表示し、このようにディスプレイ１１の表示動作を通常とは異ならせることによって、火元４が使用中であることをユーザに通知する。
【００３８】
また、リモコン１３の電源ボタンが通常押下されずに（＃１１でＮＯ）、長押し（すなわち所定時間（例えば１秒）以上長く持続的に押下）されると（＃１５でＹＥＳ）、制御部１４は、テレビ放送受信装置１の電源をオフにし（＃１３）、これにより、ディスプレイ１１によるテレビ放送の映像の表示を終了する。つまり、制御部１４は、テレビ放送受信装置１の電源オン状態においてリモコン１３の電源ボタンが長押しされれば、火元４の使用状態にかかわらず、テレビ放送受信装置１を通常と同じ動作をするように制御して、テレビ放送受信装置１の電源をオフにする。従って、何らかの不具合により第２の検出装置２ｂから火元４が使用中でないことを示す信号を受信できない場合には、リモコン１３の電源ボタンを長押しすることにより、テレビ放送受信装置１を通常通り動作させて、テレビ放送受信装置１の電源をオフにすることができる。
【００３９】
このように、上記構成のテレビ放送受信装置１によれば、リモコン１３の電源ボタンを通常押下してテレビ放送受信装置１の電源オン操作をしたとき、ドア３が施錠されていなければ、テレビ放送の映像を表示するためのディスプレイ１１による表示動作を利用して（通常とは異なる表示動作を行うことによって）通知動作が行われる。ユーザは、帰宅後すぐにテレビ放送受信装置１の電源をオンにすることが多く、従って、ユーザは、このような通知動作が行われることによって、帰宅後にドア３が施錠されていないことを察知することができ、ユーザの防犯対策を補助することができる。
【００４０】
また、リモコン１３の電源ボタンを通常押下してテレビ放送受信装置１の電源オフ操作をしたとき、火元４が使用中であれば、テレビ放送の映像を表示するためのディスプレイ１１による表示動作を利用して（通常とは異なる表示動作を行うことによって）通知動作が行われる。ユーザは、外出するときにテレビ放送受信装置１の電源をオフにすることが多く、従って、ユーザは、このような通知動作が行われることによって、外出するときに火元４が使用中であることを察知することができ、ユーザの防災対策を補助することができる。
【００４１】
しかも、これらの通知動作はテレビ放送の映像を表示するためのディスプレイ１１によって行われるため、通知動作を行うための装置を新たに設置する必要がなく、簡易な方法によって防犯／防災対策を実現することができる。
【００４２】
さらに、ユーザは、テレビ放送受信装置１の電源オン／オフ操作をするときに電源オン／オフの確認のためにディスプレイ１１を見ることが多く、ユーザが電源オン／オフ操作をしたときにディスプレイ１１によって通知動作が行われることにより、ユーザは、ドア３が施錠されていないこと及び火元４が使用中であることをより確実に察知することができる。また、通知動作において、ドア３が施錠されていない場合には施錠の確認を促すメッセージがディスプレイ１１に表示され、火元４が使用中である場合には火元４の確認を促すメッセージがディスプレイ１１に表示されることにより、ユーザは、ドア３が施錠されていないこと及び火元４が使用中であることをより確実に察知することができる。
【００４３】
また、テレビ放送受信装置１の電源オフ状態においてユーザがリモコン１３の電源ボタンを長押しすれば、制御部１４により判断されるドア３の施解錠状態にかかわらず、テレビ放送受信装置１が通常通り動作して、ディスプレイ１１にテレビ放送の映像が表示され、テレビ放送受信装置１の電源オン状態においてユーザがリモコン１３の電源ボタンを長押しすれば、制御部１４により判断される火元４の使用状態にかかわらず、テレビ放送受信装置１が通常通り動作して、テレビ放送受信装置１の電源がオフになる。従って、何らかの不具合により、第１の検出装置２ａからドア３が施錠されていることを示す信号を受信できない場合や、第２の検出装置２ｂから火元４が使用中でないことを示す信号を受信できない場合でも、テレビ放送受信装置１を通常通りに使用することができる。
【００４４】
なお、本発明は、上記各実施形態の構成に限られず、種々の変形が可能である。例えば、ドア３が施錠されていないときにテレビ放送受信装置１の電源オン操作がなされた場合、ディスプレイ１１に施錠の確認を促すメッセージを表示することに加え、スピーカ１２から施錠の確認を促すメッセージを音声出力してもよく、テレビ放送の映像をディスプレイ１１に表示したうえで、施錠の確認を促すメッセージをテレビ放送の映像上に重ねて表示してもよい。また、施錠の確認を促すメッセージをディスプレイ１１に表示せずに、テレビ放送の映像をディスプレイ１１に表示しないことによって、ドア３が施錠されていないことをユーザに通知してもよい。このような表示動作によっても、ディスプレイ１１の表示動作が通常とは異なることによって、ユーザはドア３が施錠されていないことを察知することができる。
【００４５】
また、火元４が使用中のときにテレビ放送受信装置１の電源オフ操作がなされた場合、ディスプレイ１１に火元４の確認を促すメッセージを表示することに加え、スピーカ１２から火元４の確認を促すメッセージを音声出力してもよく、テレビ放送の映像をディスプレイ１１に表示したうえで、火元４の確認を促すメッセージをテレビ放送の映像上に重ねて表示してもよい。また、火元４の確認を促すメッセージをディスプレイ１１に表示せずに、テレビ放送の映像をディスプレイ１１に表示し続けることによって、火元４が使用中であることをユーザに通知してもよい。このような表示動作によっても、ディスプレイ１１の表示動作が通常とは異なることによって、ユーザは火元４が使用中であることを察知することができる。
【００４６】
また、リモコン１３の電源ボタンの長押しに代えて、ダブルクリック（所定時間内に２回押下）することや、別途設けられた専用ボタンを操作することによって、制御部１４により判断されるドア３の施解錠状態及び火元４の使用状態にかかわらず、テレビ放送受信装置１を通常通り動作させるようにしてもよい。
【００４７】
また、状態検出装置２は、無線に限らず、有線によって状態検出信号をテレビ放送受信装置１に送信してもよい。状態検出装置２が監視する監視対象は、ドア３の施解錠状態や火元４の使用状態に限られず、例えば窓の施解錠状態や照明の使用状態などであってもよく、それらの場合、監視対象に応じて、監視対象の状態を通知する場合の通知条件や監視対象の状態を通知する場合の通知メッセージ等を設定すればよい。
【図面の簡単な説明】
【００４８】
【図１】本発明の一実施形態に係るテレビ放送受信装置を用いた防犯／防災システムの概略構成を示す図。
【図２】同防犯／防災システムに用いられる状態検出装置の構成を示す図。
【図３】同防犯／防災システムに用いられるテレビ放送受信装置の電気的ブロック構成図。
【図４】同テレビ放送受信装置の電源オン操作時の動作を示すフローチャート。
【図５】同テレビ放送受信装置の電源オフ操作時の動作を示すフローチャート。
【符号の説明】
【００４９】
１    テレビ放送受信装置
２、２ａ、２ｂ    状態検出装置
１１    ディスプレイ
１２    スピーカ
１３    リモコン
１４    制御部
１５    チューナ
１６    ＡＶ信号処理部
１７    状態検出信号受信部
１８    メモリ
１９    リモコン受信部
２１    リミットスイッチ
２２    トランスミッタ
１００    防犯／防災システム
【図１】
2007324680.tif 000003
【図２】
2007324680.tif 000004
【図３】
2007324680.tif 000005
【図４】
2007324680.tif 000006
【図５】
2007324680.tif 000007